(57)【要約】【課題】小型化が図られるとともに待機状態における消費電力を抑制することが可能な薬液投与装置を備える薬液投与セットを提供する。【解決手段】薬液投与セット１０は、薬液が充填される薬液容器１１０と、薬液容器を保持するハウジング１２０と、薬液容器内の薬液を押し出す押し子１３０と、ハウジングに収容され、押し子を薬液容器の先端側へ前進させる駆動機構１４０と、ハウジングに収容され、駆動機構へ駆動電流を供給する電源部１７０と、ハウジングに収容され、電源部の起動状態および非起動状態を切り替えるマグネットリードスイッチ１５０と、を備える薬液投与装置１００と、マグネットリードスイッチの通電状態および非通電状態を切り替え可能な切替用マグネット３００と、を有する。【選択図】図８
2019189437.tif 000002
【特許請求の範囲】
【請求項１】
薬液が充填される薬液容器と、
前記薬液容器を保持するハウジングと、
前記薬液容器内の前記薬液を押し出す押し子と、
前記ハウジングに収容され、前記押し子を前記薬液容器の先端側へ前進させる駆動機構と、
前記ハウジングに収容され、前記駆動機構へ駆動電流を供給する電源部と、
前記ハウジングに収容され、前記電源部の起動状態および非起動状態を切り替えるマグネットリードスイッチと、を備える薬液投与装置と、
前記マグネットリードスイッチの通電状態および非通電状態を切り替え可能な切替用マグネットと、を有する薬液投与セット。
【請求項２】
前記薬液投与装置と前記切替用マグネットを保持する保持部材をさらに有し、
前記マグネットリードスイッチは、前記切替用マグネットが所定の距離まで相対的に接近した際、前記非通電状態となり、前記切替用マグネットが所定の距離まで相対的に離間した際、前記通電状態となるように構成されており、
前記薬液投与装置と前記切替用マグネットが、前記マグネットリードスイッチが前記非通電状態となるように前記保持部材において保持されている、請求項１に記載の薬液投与セット。
【請求項３】
前記薬液投与装置と前記切替用マグネットを保持する保持部材をさらに有し、
前記マグネットリードスイッチは、前記切替用マグネットが所定の距離まで相対的に接近した際、前記通電状態となり、前記切替用マグネットが所定の距離まで相対的に離間した際、前記非通電状態となるように構成されており、
前記薬液投与装置と前記切替用マグネットが、前記マグネットリードスイッチが前記非通電状態となるように前記保持部材において保持されている、請求項１に記載の薬液投与セット。
【請求項４】
前記ハウジングは、前記薬液容器の先端を前記ハウジングの外部に突出させる開口部と、
前記開口部から前記ハウジング内への液体の流入を防止するシール部材と、を有する請求項１〜３のいずれか１項に記載の薬液投与セット。
【発明の詳細な説明】
【技術分野】
【０００１】
本発明は、薬液投与セットに関する。
【背景技術】
【０００２】
従来、薬液容器に充填した薬液を押し子の押圧作用により生体内に投与するシリンジポンプ型の薬液投与装置が知られている。この種の薬液投与装置は、筒型の薬液容器と、薬液容器内の薬液を押し出す押し子機構と、を備える（例えば、下記特許文献１を参照）。薬液容器および押し子機構は、ハウジング内に収容されるとともにハウジングに支持されている。また、上記の薬液投与装置は、使用者の体表面に取り付けた状態で使用されることがある。
【先行技術文献】
【特許文献】
【０００３】
【特許文献１】特開平９−２９４８０７号公報
【発明の概要】
【発明が解決しようとする課題】
【０００４】
薬液投与装置は、上記のように使用者の体表面に取り付けて使用される場合、使用者の行動制限が生じないようにするために、可能な限り小型に構成されていることが好ましい。しかしながら、薬液投与装置の小型化を図る場合、次のような課題が生じる。【０００５】
薬液投与装置には、押し子の前進移動を駆動するための駆動電力を供給する電源部が搭載される。また、薬液投与装置は、長期間に亘って未使用な状態で保管されることもあるため、待機状態における消費電力は極力少ないことが好ましい。【０００６】
薬液投与装置の小型化を図る場合、薬液投与装置のハウジング（筐体）を小型化することが考えられるが、ハウジングに起動用のスイッチ類を設けると、ハウジングの防水性を高めるような設計が必要になる。そのため、ハウジングの構造が複雑になる上に、ハウジングの大型化を避けることが困難になる。一方で、起動用のスイッチ類に代えて、接触型のセンサや無線方式のスイッチング素子を採用することも考えられるが、これらの技術を採用した場合、待機状態における消費電力が大幅に増加する。【０００７】
したがって、従来は、薬液投与装置の小型化と待機状態における消費電力の抑制とを両立することが困難であった。【０００８】
本発明は上記のような課題を鑑みてなされたものであり、小型化が図られるとともに待機状態における消費電力を抑制することが可能な薬液投与装置を備える薬液投与セットを提供することを目的とする。
【課題を解決するための手段】
【０００９】
本発明に係る薬液投与セットは、薬液が充填される薬液容器と、前記薬液容器を保持するハウジングと、前記薬液容器内の前記薬液を押し出す押し子と、前記ハウジングに収容され、前記押し子を前記薬液容器の先端側へ前進させる駆動機構と、前記ハウジングに収容され、前記駆動機構へ駆動電流を供給する電源部と、前記ハウジングに収容され、前記電源部の起動状態および非起動状態を切り替えるマグネットリードスイッチと、を備える薬液投与装置と、前記マグネットリードスイッチの通電状態および非通電状態を切り替え可能な切替用マグネットと、を有する。
【発明の効果】
【００１０】
本発明の薬液投与セットによれば、薬液投与装置の小型化を図ることができるとともに、待機状態における薬液投与装置の消費電力を抑制することができる。
【図面の簡単な説明】
【００１１】
【図１】実施形態に係る薬液投与システムの側面図である。
【図２】薬液投与システムの使用例を模式的に示す図である。
【図３】薬液投与装置の平面図である。
【図４】薬液投与装置のハウジングの内部を示す平面図である。
【図５】マグネットリードスイッチの斜視図である。
【図６】マグネットリードスイッチの配置例を示す平面図である。
【図７】薬液投与セットの平面図である。
【図８】保持部材から薬液投与装置を取り出した状態を示す斜視図である。
【図９】変形例に係る薬液投与セットの平面図である。
【図１０】図９の矢印１０−１０で示す部分の部分断面図である。
【発明を実施するための形態】
【００１２】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１３】
図１〜図６は、実施形態に係る薬液投与システム１、薬液投与セット１０、薬液投与装置１００、および投与器具２００の説明に供する図である。なお、図４においては、ハウジング１２０の外形を二点鎖線で示しており、ハウジング１２０に保持された各部材を実線で図示している。各図に付した矢印Ｘは、薬液投与装置１００の「長手方向」を示し、矢印Ｙは、薬液投与装置１００の「幅方向（奥行方向）」を示し、矢印Ｚは、薬液投与装置１００の「高さ方向」を示す。
【００１４】
（薬液投与システム）
薬液投与システム１は、薬液を生体内に投与するために使用される。図１に示すように、薬液投与システム１は、薬液投与装置１００と、投与器具２００と、を備える。
【００１５】
図２に示すように、薬液投与装置１００および投与器具２００は、使用者の体表面（皮膚）Ｈに貼り付けて使用するパッチタイプとして構成している。薬液投与装置１００および投与器具２００を取り付ける使用者の身体の部位は特に限定されないが、例えば、腹部や大腿部である。
【００１６】
薬液投与システム１は、例えば、薬液投与装置１００が備える薬液容器１１０内に充填された薬液（図示省略）を、後述する押し子１３０による押圧作用により、比較的長い時間（例えば、数分〜数時間程度）をかけて持続的に生体内に投与することができる。なお、薬液投与システム１は、薬液を間欠的に生体内に投与してもよい。
【００１７】
（薬液投与装置）
薬液投与装置１００は、図３、図４、および図５に示すように、薬液が充填される筒型（バレル型）の本体部１１１を備える薬液容器１１０と、薬液容器１１０を保持するハウジング１２０と、薬液容器１１０内の薬液を押し出す押し子１３０と、押し子１３０を薬液容器１１０の先端側へ前進させる駆動機構１４０と、駆動機構１４０へ駆動電流を供給する電源部１７０と、電源部１７０の起動状態および非起動状態を切り替えるマグネットリードスイッチ１５０と、を有している。
【００１８】
図３および図４に示すように、ハウジング１２０は、内部に収容空間１２８が形成された箱型のハウジング本体部１２０ａと、ハウジング本体部１２０ａの収容空間１２８に収容され、ハウジング本体部１２０ａに対して固定可能なシャーシ１２７と、を有している。
【００１９】
図３に示すように、ハウジング本体部１２０ａの上面１２３には、ハウジング１２０の外部から収容空間１２８内を視認可能にする窓部１２３ａが形成されている。窓部１２３ａは、ハウジング本体部１２０ａの一部に透明または半透明な部分を設けることで形成している。
【００２０】
図４に示すように、ハウジング本体部１２０ａの長手方向（Ｘ方向）の先端側には、薬液容器１１０の先端１１２をハウジング１２０の外部に突出させる先端開口部（「開口部」に相当する）１２９が形成されている。
【００２１】
ハウジング本体部１２０ａの長手方向の基端側には、シャーシ１２７をハウジング本体部１２０ａの収容空間１２８に挿入するための基端開口部（図示省略）が形成されている。ハウジング本体部１２０ａの基端開口部は、収容空間１２８にシャーシ１２７を収容した状態で、蓋部材１２７ａにより閉じられる（図４を参照）。シャーシ１２７が収容空間１２８内に収容されることにより、シャーシ１２７に保持された基板支持部１２５、駆動機構１４０、マグネットリードスイッチ１５０、制御部１６０、および電源部１７０が収容空間１２８内に収容される。
【００２２】
図４に示すように、ハウジング本体部１２０ａの収容空間１２８において先端開口部１２９付近に位置する内壁には、先端開口部１２９からハウジング１２０内へ液体が流入するのを防止するシール部材１８０を配置している。シール部材１８０は、例えば、流体の流入を防止するためのシール性を備える公知の弾性部材（Ｏリング等）で構成することができる。ただし、シール部材１８０の具体的な形状や構成材料等は特に限定されない。
【００２３】
ハウジング本体部１２０ａの底面１２１には、使用者の体表面Ｈに貼着可能なシート状の貼着部（図示省略）を設けている。薬液投与装置１００を使用者に取り付ける前の初期状態において、貼着部の貼着面には、剥離可能な保護シートが取り付けられる。
【００２４】
図４に示すように、シャーシ１２７には、薬液容器１１０と、基板支持部１２５と、押し子１３０と、駆動機構１４０と、マグネットリードスイッチ１５０と、制御部１６０と、電源部１７０と、が保持されている。
【００２５】
図４に示すように、薬液容器１１０の本体部１１１の内腔１１１ａには、押し子１３０の本体部１３１が挿入される。押し子１３０の本体部１３１の先端部には、ガスケット１３５を配置している。ガスケット１３５は、例えば、ゴム材やエラストマー等の樹脂材料で構成することができる。ガスケット１３５は、ガスケット１３５の外周部が薬液容器１１０の本体部１１１の内周面と液密に密着することにより、ガスケット１３５の基端側を液密に封止する。
【００２６】
薬液容器１１０は、いわゆるプレフィルド型の薬液容器で構成している。そのため、薬液は、薬液容器１１０の本体部１１１の内腔１１１ａ内に予め充填されている。薬液としては、例えば、タンパク質製剤、麻薬性鎮痛薬、利尿薬等が挙げられる。
【００２７】
薬液容器１１０の先端開口部（吐出口）には、薬液が漏洩するのを防止するための封止部材（図示省略）を配置している。薬液容器１１０の先端１１２は、ハウジング本体部１２０ａに形成された先端開口部１２９から外部に突出するように配置している。また、薬液容器１１０においてハウジング本体部１２０ａから突出した部分には、後述するチューブ２４０（図１を参照）との接続がなされる装着部１１５を取り付けている。
【００２８】
制御部１６０は、薬液投与装置１００の薬液の送液動作を制御する。制御部１６０は、例えば、ＣＰＵ、ＲＡＭ、ＲＯＭ等を実装した公知のマイクロコンピュータ（電子回路素子）により構成することができる。
【００２９】
マグネットリードスイッチ１５０は、電源部１７０の起動状態および非起動状態を切り替える。図５に示すように、マグネットリードスイッチ１５０は、スイッチ本体１５１と、スイッチ本体１５１を基板支持部１２５に対して固定する固定部１５２と、を有している。
【００３０】
マグネットリードスイッチ１５０の通電状態および非通電状態の切り替えは、後述する切替用マグネット３００（図７および図８を参照）を利用して行われる。マグネットリードスイッチ１５０は、電源部１７０と電気的に接続している。マグネットリードスイッチ１５０が通電状態に切り替わると、電源部１７０は起動状態（駆動電流を供給可能なＯＮ状態）に切り替わる。また、マグネットリードスイッチ１５０が非通電状態に切り替わると、電源部１７０は非起動状態（駆動電流の供給ができないＯＦＦ状態）に切り替わる。
【００３１】
図４および図６に示すように、制御部１６０とマグネットリードスイッチ１５０は、基板支持部１２５に配置している。制御部１６０は、図４に示す基板支持部１２５の上面側（ハウジング１２０の上面１２３側）に配置している。マグネットリードスイッチ１５０は、図６に示す基板支持部１２５の裏面側（ハウジング１２０の底面１２１側）に配置している。
【００３２】
上記のようにマグネットリードスイッチ１５０を基板支持部１２５に配置することにより、電源部１７０の起動状態と非起動状態を切り替えるためのスイッチ類を外部からの押圧操作が可能となるようにハウジング本体部１２０ａ等に配置する必要がなくなる。そのため、ハウジング１２０の防水性が低下するのを防止でき、かつ、防水性を維持するための構造をハウジング１２０に設けることに伴うハウジング１２０の大型化を抑制することができる。
【００３３】
なお、制御部１６０およびマグネットリードスイッチ１５０の基板支持部１２５に対する取り付け方法や配置等は、特に限定されない。
【００３４】
マグネットリードスイッチ１５０としては、磁気（磁力）により通電状態と非通電状態の切り替えが可能に構成された公知のものを利用することができる。マグネットリードスイッチ１５０の具体的な構造、形状、材質等は特に限定されない。
【００３５】
電源部１７０は、例えば、公知の電池等で構成することができる。
【００３６】
図４に示すように、駆動機構１４０は、電源部１７０から駆動電流を受給して回転駆動力を生じさせるモータ１４１と、モータ１４１の回転駆動力を伝達する歯車等を備える減速機構１４３と、減速機構１４３に接続された送りネジ１４７と、を有している。
【００３７】
送りネジ１４７は、押し子１３０の基端付近に配置された基端接続部１３３に接続される。送りネジ１４７は、減速機構１４３から伝達された回転運動を直線運動に変換して、押し子１３０を長手方向（Ｘ方向）に前進させる。押し子１３０は、薬液容器１１０の先端側へ向けて前進することにより、薬液容器１１０の本体部１１１の内腔１１１ａからチューブ２４０（図１を参照）へ薬液を押し出す。
【００３８】
（薬液投与セット）
図７および図８に示すように、薬液投与セット１０は、薬液投与装置１００と、薬液投与装置１００が備えるマグネットリードスイッチ１５０の通電状態および非通電状態を切り替える切替用マグネット３００と、薬液投与装置１００と切替用マグネット３００を保持する保持部材４００と、を有している。
【００３９】
保持部材４００は、薬液投与装置１００が収容される第１収容溝４０１と、切替用マグネット３００が収容される第２収容溝４０２と、第１収容溝４０１から薬液投与装置１００を取り出す際に使用者等の手指を掛ける指掛け部４０３と、第１収容溝４０１内における薬液投与装置１００の位置を保持するスペーサー４１０と、を有している。
【００４０】
薬液投与セット１０は、保持部材４００に薬液投与装置１００および切替用マグネット３００が収容された状態で、保持部材４００の取り出し口４０５にフィルムや蓋が取り付けられる。薬液投与セット１０は、上記のようにパッケージングされた状態で保管や運搬等がなされる。使用者は、薬液投与装置１００を使用する際、フィルムや蓋を取り外すことにより、保持部材４００から薬液投与装置１００および切替用マグネット３００を取り出すことができる。
【００４１】
本実施形態に係るマグネットリードスイッチ１５０は、切替用マグネット３００が所定の距離まで相対的に接近した際、非通電状態となるように設定している。また、マグネットリードスイッチ１５０は、切替用マグネットが所定の距離まで相対的に離間した際、通電状態となるように構成されている。なお、切替用マグネット３００は、マグネットリードスイッチ１５０に磁力を作用させることにより、マグネットリードスイッチ１５０の通電状態と非通電状態とを切り替え可能な限り、具体的な構造、形状、材質等は特に限定されない。
【００４２】
保持部材４００は、マグネットリードスイッチ１５０が非通電状態となるように薬液投与装置１００と切替用マグネット３００を保持する。そのため、図７に示すように、薬液投与装置１００と切替用マグネット３００が保持部材４００に保持された状態において、マグネットリードスイッチ１５０と切替用マグネット３００との間には、所定の距離が設けられる。なお、マグネットリードスイッチ１５０を非通電状態に維持するために設けられる上記の「所定の距離」の具体的な寸法は、特に限定されない。
【００４３】
保持部材４００は、薬液投与装置１００と切替用マグネット３００を保持した状態において、マグネットリードスイッチ１５０の非通電状態をより確実に維持することができるようにするために、薬液投与装置１００が配置される第１収容溝４０１と切替用マグネット３００が配置される第２収容溝４０２とが近接した位置に形成されている。
【００４４】
薬液投与装置１００は、例えば、ハウジング１２０の上面１２３側を切替用マグネット３００が配置される第２収容溝４０２側に向くように配置することができる。ただし、薬液投与装置１００は、保持部材４００において薬液投与装置１００と切替用マグネット３００とを近接させるために、マグネットリードスイッチ１５０が設けられたハウジング１２０の底面１２１側を切替用マグネット３００が配置される第２収容溝４０２側に向くように配置してもよい。
【００４５】
使用者は、薬液投与装置１００を使用する際、図８に示すように、保持部材４００から薬液投与装置１００を取り出して、マグネットリードスイッチ１５０を切替用マグネット３００から離間させる。このような作業を行うことにより、使用者は、マグネットリードスイッチ１５０を通電状態に切り替えることができる。マグネットリードスイッチ１５０が通電状態に切り替わることにより、電源部１７０が起動状態に切り替わる。
【００４６】
上記のように薬液投与セット１０では、使用者が保持部材４００から薬液投与装置１００を取り出す作業を実施しないと、マグネットリードスイッチ１５０が通電状態に切り替わらない。そのため、マグネットリードスイッチ１５０が切替用マグネット３００から不用意に離間する等して、電源部１７０が意図せずに起動状態に切り替わってしまうことを好適に防止することができる。
【００４７】
（投与器具）
図１および図２に示すように、投与器具２００は、薬液投与装置１００に接続可能に構成している。
【００４８】
投与器具２００は、コネクタ２１０と、生体に穿刺される針管２２０と、穿刺部（カニューレハウジング）２３０と、チューブ２４０と、針管２２０の生体への穿刺を補助する穿刺補助具２５０と、を有している。
【００４９】
コネクタ２１０は、当該コネクタ２１０に固定された装着部２１５を介して薬液投与装置１００に接続可能に構成している。装着部２１５は、ハウジング１２０の外部に突出した薬液容器１１０の先端１１２付近に設けられた装着部１１５（図４を参照）に対して外嵌されることにより、薬液投与装置１００と接続できる。
【００５０】
装着部２１５の内部には、薬液容器１１０の先端部に配置された封止部材（図示省略）を刺通可能な接続用の針部（図示省略）が配置されている。チューブ２４０は、接続用の針部を介して、薬液容器１１０の本体部１１１の内腔１１１ａと連通される。
【００５１】
穿刺部２３０の内部には、チューブ２４０と針管２２０の内腔を連通する流路（図示省略）が形成されている。チューブ２４０を介して穿刺部２３０へ送液された薬液は、穿刺部２３０の内部に形成された流路および針管２２０を通して生体内に投与される。
【００５２】
使用者への薬液の送液に際して、穿刺部２３０には穿刺補助具２５０が取り付けられる。穿刺補助具２５０は、導入針（内針）２５１を保持している。導入針２５１は、穿刺補助具２５０を穿刺部２３０に取り付けた状態において、針管２２０の先端から突出する。使用者は、針管２２０に導入針２５１を挿通した状態で針管２２０を生体に穿刺することにより、針管２２０に折れ等が生じるのを防止しつつ、針管２２０を生体に刺入することが可能になる。
【００５３】
穿刺補助具２５０は、針管２２０を生体に穿刺した後、穿刺部２３０から取り外される。導入針２５１は、穿刺部２３０から穿刺補助具２５０が取り外されると、針管２２０の内腔から抜去される。
【００５４】
針管２２０を生体に穿刺した後、穿刺補助具２５０が取り外されて、針管２２０が生体内に留置された状態で、穿刺部２３０は使用者の体表面Ｈに残置される。この状態で薬液投与装置１００の押し子１３０が薬液容器１１０内を前進することにより、薬液容器１１０に充填された薬液は、チューブ２４０および穿刺部２３０の流路を経由して針管２２０の内腔へ送液される。
【００５５】
導入針２５１は、例えば、金属針で構成することが可能である。また、針管２２０は、例えば、樹脂製の管状部材（カニューレ）で構成することが可能である。
【００５６】
投与器具２００は、薬液投与装置１００と同様に、使用者の体表面Ｈに貼り付けて使用するパッチタイプとして構成している。投与器具２００の穿刺部２３０の接触面（底面）２３１には、体表面に貼着可能なシート状の貼着部（図示省略）を設けている。投与器具２００を使用者に取り付ける前の初期状態において、貼着部の貼着面には剥離可能な保護シートが取り付けられる。
【００５７】
なお、薬液投与装置１００と投与器具２００との接続は、例えば、マグネットリードスイッチ１５０を通電状態に切り替えた後に行うことができる。制御部１６０は、マグネットリードスイッチ１５０が通電状態に切り替わった後、一定の時間が経過した後に押し子１３０の前進を開始させるように動作制御を行うことができる。
【００５８】
以上説明したように、本実施形態に係る薬液投与装置１００は、薬液が充填される薬液容器１１０と、薬液容器１１０を保持するハウジング１２０と、薬液容器１１０内の薬液を押し出す押し子１３０と、ハウジング１２０に収容され、押し子１３０を薬液容器１１０の先端側へ前進させる駆動機構１４０と、ハウジング１２０に収容され、駆動機構１４０へ駆動電流を供給する電源部１７０と、ハウジング１２０に収容され、電源部１７０の起動状態および非起動状態を切り替えるマグネットリードスイッチ１５０と、を備える薬液投与装置１００と、マグネットリードスイッチ１５０の通電状態および非通電状態を切り替え可能な切替用マグネット３００と、を有している。
【００５９】
薬液投与セット１０は、マグネットリードスイッチ１５０がハウジング１２０に収容されているため、電源部１７０の起動状態と非起動状態を切り替えるためのスイッチ類を、外部からの押圧操作が可能となるようにハウジング本体部１２０ａ等に配置する必要がなくなる。そのため、ハウジング１２０の防水性が低下するのを防止でき、かつ、防水性を維持するための構造をハウジング１２０に設けることに伴うハウジング１２０の大型化を抑制することができる。また、薬液投与セット１０は、マグネットリードスイッチ１５０を採用しているため、薬液投与装置１００の待機状態における消費電力を効果的に抑制することができる。
【００６０】
また、薬液投与セット１０は、薬液投与装置１００と切替用マグネット３００を保持する保持部材４００を有している。マグネットリードスイッチ１５０は、切替用マグネット３００が所定の距離まで相対的に接近した際、非通電状態となり、切替用マグネット３００が所定の距離まで相対的に離間した際、通電状態となるように構成されている。薬液投与装置１００と切替用マグネット３００は、マグネットリードスイッチ１５０が非通電状態となるように保持部材４００において保持されている。上記のように構成された薬液投与セット１０は、使用者が保持部材４００から薬液投与装置１００または切替用マグネット３００を取り出す作業を実施しないと、マグネットリードスイッチ１５０が通電状態に切り替わらない。そのため、マグネットリードスイッチ１５０が切替用マグネット３００から不用意に離間する等して、電源部１７０が意図せずに起動状態に切り替わってしまうことを好適に防止することができる。
【００６１】
また、薬液投与セット１０において、ハウジング１２０は、薬液容器１１０の先端１１２をハウジングの外部に突出させる先端開口部１２９と、先端開口部１２９からハウジング１２０内への液体の流入を防止するシール部材１８０と、を有している。そのため、薬液投与セット１０は、ハウジング１２０に形成された先端開口部１２９からの液体の流入を防止できる。ハウジング１２０は、防水性を好適に維持することができる。
【００６２】
＜変形例＞
次に、変形例に係る薬液投与セット１０Ａを説明する。前述した実施形態と同様の構成については、同一の符号を付し、その説明を省略する。また、変形例において特に言及しない構成については、前述した実施形態と実質的に同一に構成することができるものとする。
【００６３】
図９および図１０は、変形例に係る薬液投与セット１０Ａを示す図である。
【００６４】
前述した実施形態に係る薬液投与セット１０は、切替用マグネット３００が所定の距離までマグネットリードスイッチ１５０に相対的に接近した際、マグネットリードスイッチ１５０が非通電状態となる。また、切替用マグネット３００が所定の距離までマグネットリードスイッチ１５０から相対的に離間した際、マグネットリードスイッチ１５０が通電状態となる。
【００６５】
一方、変形例に係る薬液投与セット１０Ａは、切替用マグネット３００Ａが所定の距離までマグネットリードスイッチ１５０Ａに相対的に接近した際、マグネットリードスイッチ１５０Ａが通電状態となる。また、切替用マグネット３００Ａが所定の距離まで相対的にマグネットリードスイッチ１５０Ａから離間した際、マグネットリードスイッチ１５０Ａが非通電状態となる。
【００６６】
薬液投与セット１０Ａが備える保持部材４００Ａは、薬液投与装置１００Ａが収容される第１収容溝４０１と、切替用マグネット３００Ａが収容される第２収容溝４０２と、第１収容溝４０１から薬液投与装置１００を取り出す際に使用者等の手指を掛ける指掛け部４０３と、を有している。
【００６７】
保持部材４００Ａは、マグネットリードスイッチ１５０Ａが非通電状態となるように薬液投与装置１００Ａと切替用マグネット３００Ａを保持する。したがって、図９に示すように、薬液投与装置１００Ａと切替用マグネット３００Ａが保持部材４００Ａにおいて保持された状態において、マグネットリードスイッチ１５０Ａと切替用マグネット３００Ａとの間には所定の距離が設けられる。なお、マグネットリードスイッチ１５０Ａを非通電状態に維持するために設けられる上記の「所定の距離」の具体的な寸法は、特に限定されない。
【００６８】
保持部材４００Ａは、薬液投与装置１００Ａと切替用マグネット３００Ａを保持した状態において、マグネットリードスイッチ１５０Ａの非通電状態をより確実に維持することができるようにするために、薬液投与装置１００Ａが配置される第１収容溝４０１と切替用マグネット３００Ａが配置される第２収容溝４０２とが離間した位置に形成されている。
【００６９】
また、保持部材４００Ａにおいて薬液投与装置１００Ａと切替用マグネット３００Ａとを離間させて配置するために、薬液投与装置１００Ａは、例えば、ハウジング１２０の上面１２３側を切替用マグネット３００Ａが配置される第２収容溝４０２側と反対側（保持部材４００Ａの取り出し口４０５側）を向くように配置することができる。
【００７０】
使用者は、薬液投与装置１００Ａを使用する際、保持部材４００Ａから薬液投与装置１００および切替用マグネット３００Ａの少なくとも一方を取り出す。そして、使用者は、薬液投与装置１００Ａと切替用マグネット３００Ａを近付けることにより、マグネットリードスイッチ１５０Ａを通電状態に切り替える。マグネットリードスイッチ１５０Ａが通電状態に切り替わることにより、電源部１７０が起動状態に切り替わる。
【００７１】
上記のように変形例に係る薬液投与セット１０Ａでは、使用者が保持部材４００Ａから薬液投与装置１００Ａおよび切替用マグネット３００Ａの少なくとも一方を取り出す作業を行ったうえで、薬液投与装置１００Ａと切替用マグネット３００Ａとを積極的に近付けるような作業を行なわないと、マグネットリードスイッチ１５０Ａが通電状態に切り替わらない。そのため、切替用マグネット３００Ａがマグネットリードスイッチ１５０Ａに不用意に近付いて、電源部１７０が意図せずに起動状態に切り替わることを好適に防止することができる。
【００７２】
以上、実施形態および変形例を通じて本発明に係る薬液投与セットを説明したが、本発明は説明した各構成のみに限定されるものでなく、特許請求の範囲の記載に基づいて適宜変更することが可能である。
【００７３】
例えば、保持部材の形状は、図示により例示した形状に限定されない。例えば、保持部材には、保持部材に薬液投与装置および切替用マグネットを保持した状態において、切り替え用マグネットを薬液投与装置に近付けたり、遠ざけたりするための構造（溝部等）を設けることも可能である。また、ハウジングは、シャーシを備えずに、ハウジング本体部に各構成部材が固定や保持される構成であってもよい。
【００７４】
また、薬液投与セットを構成する各部材の材質、形状、大きさ、配置、部材同士の接続・連結構造等は、本発明の効果が発揮される限り、特に限定されることはなく、任意に変更および置換することが可能である。また、薬液投与セットには、明細書内において特に説明のなかった任意の構成部材等を適宜付加することも可能である。
【００７５】
本出願は、２０１８年３月３０日に出願された日本国特許出願第２０１８−０６７４５７号に基づいており、その開示内容は、参照により全体として引用されている。
【符号の説明】
【００７６】
１  薬液投与システム、
１０、１０Ａ  薬液投与セット、
１００、１００Ａ  薬液投与装置、
１１０  薬液容器、
１２０  ハウジング、
１２０ａ  ハウジング本体部、
１２５  基板支持部、
１２７  シャーシ、
１２８  収容空間、
１２９  ハウジングの先端開口部（開口部）、
１３０  押し子、
１４０  駆動機構、
１５０、１５０Ａ  マグネットリードスイッチ、
１５１  スイッチ本体、
１５２  固定部、
１６０  制御部、
１７０  電源部、
１８０  シール部材、
２００  投与器具、
３００、３００Ａ  切替用マグネット、
４００、４００Ａ  保持部材、
４０１  第１収容溝、
４０２  第２収容溝、
Ｈ  体表面。
【図１】
2019189437.tif 000003
【図２】
2019189437.tif 000004
【図３】
2019189437.tif 000005
【図４】
2019189437.tif 000006
【図５】
2019189437.tif 000007
【図６】
2019189437.tif 000008
【図７】
2019189437.tif 000009
【図８】
2019189437.tif 000010
【図９】
2019189437.tif 000011
【図１０】
2019189437.tif 000012
【国際調査報告】
2019189437.tif 000013
2019189437.tif 000014
2019189437.tif 000015
2019189437.tif 000016